(57)【要約】【課題】被梱包物の保護性・荷扱い性に優れた梱包装置を提供すること。【解決手段】被梱包物１の両端部に前記被梱包物１を支持する緩衝材２を当てがえて筒状の外装箱３に前記被梱包物１を挿入し、結束バンド５で封函する梱包装置において、前記外装箱３の天面７の中央部に互いに向い合う切込み部６を設け、前記結束バンド５の中央部を前記切込み部６の端部より挿入して前記外装箱３の内側に配置したもので、結束バンド５を外装箱３の内側に配置する構造になるため、積み込みや積み下ろし作業による荷扱い時に互いの結束バンド５が引っ掛かることが無くバンド切れが防止でき、巻き直しを行う作業を削減することができる。また、保管時における積載荷重による緩みや荷扱いによる結束バンド５の位置ズレを防止することができ荷扱い作業の低下を防ぐことができる。【選択図】図１
2010137862.tif 000002
【特許請求の範囲】
【請求項１】
被梱包物の両端部に前記被梱包物を支持する緩衝材を当てがえて筒状の外装箱に前記被梱包物を挿入し、結束バンドで封函する梱包装置において、前記外装箱の天面の中央部に互いに向い合う切込み部を設け、前記結束バンドの中央部を前記切込み部の端部より挿入して前記外装箱の内側に配置したことを特徴とする梱包装置。
【請求項２】
外装箱の底面の中央部に互いに向い合う切込み部を設け、結束バンドの上下それぞれの中央部を、前記外装箱の天面及び底面に設けた切込み部の端部より挿入し前記外装箱の内側に配置した請求項１に記載の梱包装置。
【発明の詳細な説明】
【技術分野】
【０００１】
本発明は、梱包装置に関するもので、特に、分離型空気調和機の室内機の梱包に用いられる梱包装置に関するものである。
【背景技術】
【０００２】
従来この種の梱包装置としては、図５に示すように、空気調和機等の被梱包物１に汚れや傷付きを防ぐ袋１４を被せ、被梱包物１の両端部には、輸送中の衝撃を吸収する緩衝材１２を当てがい支持し、筒状の外装箱１３に収納し結束バンド１５にて梱包を完了するようにしたものがある（例えば、特許文献１参照）。
【特許文献１】特開平０８−１１９３６９号公報
【発明の開示】
【発明が解決しようとする課題】
【０００３】
しかしながら、前記従来の梱包装置の構成では、積み込みや積み下ろし作業による荷扱い時に、互いの結束バンド５が引っ掛かり、結束バンド５の溶着部（図示せず）の接合外れなどにより、バンド切れが発生し、再巻き付けする必要が有った。また、保管時における積載荷重による緩みや、結束バンド５を持っての荷扱いによって、結束バンド５の位置ズレが生じ荷扱い作業を低下させるなどの課題を有していた。
【０００４】
本発明は、前記従来の課題を解決するものであり、構造を複雑化すること無く被梱包物の保護性、荷扱い性に優れた梱包装置を提供することを目的とする。
【課題を解決するための手段】
【０００５】
前記従来の課題を解決するために本発明の梱包装置は、被梱包物の両端部に前記被梱包物を支持する緩衝材を当てがえて筒状の外装箱に前記被梱包物を挿入し、結束バンドで封函する梱包装置において、前記外装箱の天面の中央部に互いに向い合う切込み部を設け、前記結束バンドの中央部を前記切込み部の端部より挿入して前記外装箱の内側に配置したもので、結束バンドを外装箱の内側に配置する構造になるため、積み込みや積み下ろし作業による荷扱い時に互いの結束バンドが引っ掛かること無くバンド切れが防止でき、巻き直しを行う作業を削減することができる。また、保管時における積載荷重による緩みや荷扱いによる結束バンドの位置ズレを防止することができ荷扱い作業の低下を防ぐことができる。
【発明の効果】
【０００６】
本発明の梱包装置は、構造を複雑化すること無く被梱包物の保護性、荷扱い性に優れたものである。
【発明を実施するための最良の形態】
【０００７】
第１の発明は、被梱包物の両端部に前記被梱包物を支持する緩衝材を当てがえて筒状の外装箱に前記被梱包物を挿入し、結束バンドで封函する梱包装置において、前記外装箱の天面の中央部に互いに向い合う切込み部を設け、前記結束バンドの中央部を前記切込み部の端部より挿入して前記外装箱の内側に配置したもので、結束バンドを外装箱の内側に配置する構造になるため、積み込みや積み下ろし作業による荷扱い時に互いの結束バンドが引っ掛かること無くバンド切れが防止でき、巻き直しを行う作業を削減することができる。また、保管時における積載荷重による緩みや荷扱いによる結束バンドの位置ズレを防止することができ荷扱い作業の低下を防ぐことができる。
第２の発明は、特に、第１の発明の外装箱の底面の中央部に互いに向い合う切込み部を設
け、結束バンドの上下それぞれの中央部を、前記外装箱の天面及び底面に設けた切込み部の端部より挿入し前記外装箱の内側に配置したもので、上下の結束バンドが外装箱の内側に配置する構造になるため、積み込みや積み下ろし作業による荷扱い時に互いの結束バンドが引っ掛かること無くバンド切れが防止でき、巻き直しを行う作業を削減することができる。また、保管時における積載荷重による緩みや荷扱いによる結束バンドの位置ズレを防止することができ荷扱い作業の低下を防ぐことができる。
【０００８】
以下、本発明の実施の形態について、図面を参照しながら説明する。なお、この実施の形態によって本発明が限定されるものではない。
【０００９】
（実施の形態１）
図１は、本発明の実施の形態１における梱包装置の斜視図、図２は、同梱包装置の分解斜視図、図３は、同梱包装置の外装箱の展開図である。
図１、図２において、１は、被梱包物であり、本実施の形態では、分離型空気調和機の室内機を例に説明する。２は、被梱包物１の左右両端部を支持する緩衝材で、梱包保管時の積載荷重を支えるとともに、輸送時の落下などの外力より保護するためのものである。
４は、被梱包物１に汚れや傷が付くのを防止する袋で、被梱包物１に袋４を被せ、両端に緩衝材２をあてがい、段ボール材等からなると共に筒状に形成した外装箱３に挿入し、結束バンド５にて封函され梱包作業が完了するものである。
特に、本実施の形態では、外装箱３の天面７の中央部に、互いに向い合う切込み部６を一対設け、結束バンド５を結束後、結束バンド５の中央部を、切込み部６の端部より挿入する形状としたものである。
【００１０】
以上の様に、本実施の形態によれば、結束バンド５が、外装箱３の内側に配置する構造になるため、積み込みや積み下ろし作業による荷扱い時に、互いの結束バンド５が引っ掛かることが無いため、バンド切れが防止でき、巻き直しを行う作業を削減することができる。また、保管時における積載荷重による緩みや荷扱いによる結束バンド５の位置ズレを防止することができ、荷扱いの作業性の低下を防ぐことができる。
【００１１】
（実施の形態２）
図４は、本発明の実施の形態２における梱包装置の外装箱の展開図である。なお、上記第１の実施の形態における梱包装置と同一部分については、同一符号を付してその説明を省略する。
【００１２】
本実施の形態における梱包装置は、図４に示すように、外装箱３の天面７と、底面８のそれぞれの中央部に、互いに向い合う切込み部６を一対設け、結束バンド５を結束後、結束バンド５の上・下の各中央部を、外装箱３の天面７と、底面８に設けた切込み部６の端部より挿入する形状としたものである。
【００１３】
以上の様に、本実施の形態によれば、梱包装置の天面７と、底面８の両面で、結束バンド５が外装箱３の内側に配置される構造になるため、積み込みや積み下ろし作業による荷扱い時に互いの結束バンド５が引っ掛かることが無く、バンド切れが防止でき、巻き直しを行う作業を削減することができる。また、保管時における積載荷重による緩みや荷扱いによる結束バンド５の位置ズレを防止することができ荷扱い作業の低下を防ぐことができる。
【産業上の利用可能性】
【００１４】
以上のように、本発明にかかる梱包装置は、構造を複雑化すること無く被梱包物の保護性・荷扱い性の向上が可能となるもので、結束バンドを用いて支持する比較的軽量な梱包装置の用途に適している。
【図面の簡単な説明】
【００１５】
【図１】本発明の実施の形態１における梱包装置の斜視図
【図２】同梱包装置の分解斜視図
【図３】同梱包装置の外装箱の展開図
【図４】本発明の実施の形態２における梱包装置の外装箱の展開図
【図５】従来例における梱包装置の分解斜視図
【符号の説明】
【００１６】
１  被梱包物
２  緩衝材
３  外装箱
４  袋
５  結束バンド
６  切込み部
７  天面
８  底面
【図５】
2010137862.tif 000003
【図１】
2010137862.tif 000004
【図２】
2010137862.tif 000005
【図３】
2010137862.tif 000006
【図４】
2010137862.tif 000007